(57)【要約】【課題】  クロストークに強いＦＳＫ変調、ＰＳＫ変調などで、記録層が多層構造の情報記録媒体に層情報を格納し、これを検出することを可能として、アクセス中の記録層の判断がすばやく正確にできるようにする。【解決手段】  クロック生成手段１２１は、ディスクから得られたウォブル信号から基準クロック信号を生成する。第１、第２の復調手段１２２，１２３は、この基準クロック信号をもとにウォブル信号からＦＳＫ変調情報を検出する。同期検出手段１２４は、ディスクが記録層が多層構造で各記録層についてデータの記録が可能である多層記録媒体であるときに、記録層の別を示す層情報の位置を示すタイミング信号を出力する。層情報検出手段１２６は、このタイミング信号により第１、第２の復調手段１２２，１２３の出力を保持して、層情報を検出する。【選択図】    図８
2005085326.tif 000002
【特許請求の範囲】
【請求項１】
トラックに情報が変調されたウォブルが形成されている情報記録媒体から前記ウォブルに記録されている情報を読み取る情報検出装置において、
前記ウォブルから得られたウォブル信号から基準クロック信号を生成するクロック生成手段と、
前記基準クロック信号をもとに前記ウォブル信号からＦＳＫ変調情報、ＰＳＫ変調情報、又は、ＦＳＫ＋ＰＳＫ変調情報を検出する復調手段と、
前記情報記録媒体が記録層が多層構造で各記録層についてデータの記録が可能であるときの前記記録層の別を示す層情報の位置を示すタイミング信号を出力する同期検出手段と、
このタイミング信号により前記復調手段の出力を保持して、前記層情報を検出する層情報検出手段と、
を備えていることを特徴とする情報検出装置。
【請求項２】
前記復調手段は、前記ＦＳＫ＋ＰＳＫ変調情報を検出する場合に、前記基準クロック信号をもとに前記ウォブル信号からＰＳＫ変調情報も検出し、
前記同期検出手段は、層情報の位置を示すタイミング信号のほかに、アドレス情報位置を示すタイミング信号も生成し、
前記アドレス情報位置を示すタイミング信号に応じて前記ＰＳＫ変調情報の出力を保持してアドレス情報を検出するアドレス情報検出手段をさらに備えていること、
を特徴とする請求項１に記載の情報検出装置。
【請求項３】
前記復調手段は、前記ＰＳＫ変調情報を検出する場合に、前記基準クロック信号をもとに前記ウォブル信号からＦＳＫ＋ＰＳＫ変調情報も検出し、
前記同期検出手段は、層情報の位置を示すタイミング信号のほかに、アドレス情報位置を示すタイミング信号も生成し、
前記アドレス情報位置を示すタイミング信号に応じて前記ＦＳＫ＋ＰＳＫ変調情報の出力を保持してアドレス情報を検出するアドレス情報検出手段をさらに備えていること、
を特徴とする請求項１に記載の情報検出装置。
【請求項４】
記録層が多層構造で各記録層についてデータの記録が可能である情報記録媒体に光を照射して前記記録層に対する情報の記録又は再生する情報記録媒体装置において、
前記情報記録媒体に光を照射して、その反射光から前記情報記録媒体のトラックに形成されているウォブルからウォブル信号を検出する光学系と、
このウォブル信号から情報を検出する請求項１〜５のいずれかの一に記載の情報検出装置と、
を備え、
前記情報検出装置で得られた情報に基づいて前記記録又は再生を行なうこと、
を特徴とする情報記録媒体装置。
【請求項５】
トラックに情報が変調されたウォブルが形成されている情報記録媒体から前記ウォブルに記録されている情報を読み取る情報検出方法において、
前記ウォブルから得られたウォブル信号から基準クロック信号を生成し、
前記基準クロック信号をもとに前記ウォブル信号からＦＳＫ変調情報、ＰＳＫ変調情報、又は、ＦＳＫ＋ＰＳＫ変調情報を検出し、
前記情報記録媒体が記録層が多層構造で各記録層についてデータの記録が可能であるときの前記記録層の別を示す層情報の位置を示すタイミング信号により、前記ウォブル信号からの検出情報を保持して前記層情報を検出する、
ことを特徴とする情報検出方法。
【請求項６】
前記層情報の検出として、前記ＦＳＫ＋ＰＳＫ変調情報を検出する場合に、前記基準クロック信号をもとに前記ウォブル信号からＰＳＫ変調情報も検出し、
アドレス情報位置を示すタイミング信号に応じて前記ＰＳＫ変調情報の出力を保持してアドレス情報を検出する、
ことを特徴とする請求項５に記載の情報検出方法。
【請求項７】
前記層情報の検出として、前記ＰＳＫ変調情報を検出する場合に、前記基準クロック信号をもとに前記ウォブル信号からＦＳＫ＋ＰＳＫ変調情報も検出し、
アドレス情報位置を示すタイミング信号に応じて前記ＦＳＫ＋ＰＳＫ変調情報の出力を保持してアドレス情報を検出する、
ことを特徴とする請求項５に記載の情報検出方法。
【請求項８】
記録層が多層構造で各記録層について光の照射によりデータの記録が可能であり、トラックに情報が変調されたウォブルが形成されている情報記録媒体において、
前記ウォブルには前記記録層の別を示す層情報がＦＳＫ変調情報、ＰＳＫ変調情報、又は、ＦＳＫ＋ＰＳＫ変調情報として記録されている、ことを特徴とする情報記録媒体。
【請求項９】
前記層情報が前記ＦＳＫ＋ＰＳＫ変調情報である場合に、前記ウォブルにはアドレス情報もＰＳＫ変調情報としてさらに記録されている、ことを特徴とする請求項８に記載の情報記録媒体。
【請求項１０】
前記層情報が前記ＰＳＫ変調情報である場合に、前記ウォブルにはアドレス情報もＦＳＫ＋ＰＳＫ変調情報としてさらに記録されている、ことを特徴とする請求項８に記載の情報記録媒体。
【発明の詳細な説明】
【技術分野】
【０００１】
本発明は、記録層が多層構造で各記録層についてデータの記録が可能である情報記録媒体、この情報記録媒体に形成されたウォブルに記録された情報を検出する情報検出装置及び情報検出方法、並びに、情報検出装置を備えた情報記録媒体装置に関する。
【背景技術】
【０００２】
特許文献１には、情報の格納に位相変調（ＰＳＫ：Phase Shift Keying）方式を用いた技術が開示されている。
【０００３】
特許文献２には、記録層が２層または多層の構造をなす多層記録媒体技術において、多層記録媒体の各層にウォブルを形成することが開示されている。
【０００４】
特許文献３には、多層記録媒体技術において、複数の記録層毎にウォブルの周波数や変調方式を変えることが開示されている。
【０００５】
【特許文献１】特開平１０−６９６４６号公報
【特許文献２】特開２００１−０５２３４２公報
【特許文献３】特開２００２−０７４６７９公報
【発明の開示】
【発明が解決しようとする課題】
【０００６】
ＣＤ−Ｒ／ＲＷやＤＶＤ±Ｒ／ＲＷは、ＰＣの外部記憶装置として広く用いられている。情報記録可能な情報記録媒体は今後さらなる大容量化が望まれ、２層化、将来的には多層化も検討されている。
【０００７】
記録可能な情報記録媒体には、光スポットのトラッキングを可能とするランドとグルーブからなるトラックと、回転情報やアドレス情報を格納したウォブルが形成されている。ＤＶＤ＋Ｒ／ＲＷでは、この情報の格納に位相変調（ＰＳＫ：Phase Shift Keying）方式を用いている（特許文献１を参照）。ＰＳＫ方式は一般的に復調Ｓ／Ｎが高いので、別周波数帯の外乱に対しては非常に有利な方式である。例えば、記録済領域の再生などウォブル信号以外の周波数帯域の外乱が多い場合には、ＰＳＫ方式は、非常に優れたフォーマットといえる。しかしながら、光ディスクの場合、隣接トラックに光スポットの端がかかっているため、所望のトラックから検出したウォブル信号に対し隣接トラックのウォブル信号が漏れ込み、振幅または位相変動となって現れる。これは隣接トラックからの漏れ込み信号の周波数の大部分も所望のトラックから検出したウォブル信号と同じため、ＰＳＫ方式では除去できない。
【０００８】
この不具合に対して、ＦＳＫ（Freuency Shift Keying）変調及びＰＳＫ変調を組合せたウォブル変調方式も考えられる。ＦＳＫ変調を用いることで隣接トラックからの外乱を除去可能とし、ＰＳＫ変調も組合せることで復調Ｓ／Ｎを高め、良好な復調性能を得られる。
【０００９】
一方、記録層が２層または多層の構造をなす多層記録媒体技術としては、特許文献２に、多層記録媒体の各層にウォブルを形成することが提示されている。
【００１０】
また、特許文献３には、複数の記録層毎にウォブルの周波数や変調方式を変えることが提示されている。この場合に、アクセス目標の記録層を高速に見出す方法として周波数や変調方式を記録層毎に変えることが考えられるが、これには、以下のような問題点がある。
【００１１】
まず、周波数が記録層毎に異なっている場合の問題点は、ウォブル信号周波数が所望の値と異なる状況として、メディア回転数がずれていることもある。異なる半径位置への移動を伴う層間ジャンプの場合は、内周から外周まで２倍以上の周波数変化があるため、ウォブル信号周波数が異なって検出された場合に、半径位置が間違っているのか、フォーカスした層が間違っているのかを判別しづらい。加えて搬送波成分を品質良く検出するため、通常は狭い帯域のみ通過させるＢＰＦ（バンドパスフィルタ）を使用するので、ウォブル周波数が少し違っても信号は遮断され検出できない。異なる周波数で判別するためには、前述のＢＰＦは使用できないため、検出されたウォブル信号の品質は良くないことが予想される。
【００１２】
また、記録層毎に全く変調方式が異なる場合、複数の検出回路を搭載する必要がある。これは、当然にコストアップや設計、評価時間の増大などを招く不具合がある。加えて、ウォブル周波数を記録層毎に同じとして変調方式を大きく変えた場合、情報密度が記録層毎に変化する問題もある。変調方式によって、単位情報の格納に必要なウォブル数が異なるため、記録層間のアドレス情報列が共通化できない。もし共通化するのであれば、冗長度の大きい低密度な変調方式に情報密度は制限されてしまう。
【００１３】
さらに、一般的にウォブル信号から搬送波成分を抽出するクロック引込みでも、情報復調時における同期引き込みでも、外乱や低品質品への対処として引込みがうまく行なわれない場合はリトライを行なう。ウォブル周波数や変調方式が目標とする記録層のものと異なって引込みが出来ないのか、信号品質が悪く引込みが出来ないのかの判別が難しく、リトライが所定回数終了するまで待つしかなく、ウォブル周波数や変調方式が記録層毎に異なる場合には、判別に非常に長い時間を要すことになる。
【００１４】
このように、記録層毎に周波数や変調方式を大きく変えることは、適切ではないと言える。なお、ＰＳＫ変調、ＦＳＫ変調、及び、これらを組み合わせたＦＳＫ＋ＰＳＫ変調では、変復調回路での共通部分が多いので、これらの問題点は当てはまらない。
【００１５】
以上の様に、複数の記録層を備えた多層情報記録媒体では、記録層の判別（層判別）が重要課題であるが、現状では最適な方法が見出されていない。
【００１６】
そこで、ウォブル変調方式として高い復調性能をもち、かつ、復調回路の共通化が可能なＦＳＫ変調方式やＰＳＫ変調方式を用いた情報記録媒体を用いて、層判別などを行なうことのできるディスクフォーマットを提供し、回路の大幅な増大なしに、またリトライによる長い待ち時間を要することも無く、確実に層判別などを行なうことの出来るようにしたい。
【００１７】
本発明の目的は、クロストークに強いＦＳＫ変調、ＰＳＫ変調、又は、ＦＳＫ＋ＰＳＫ変調で、記録層が多層構造の情報記録媒体に層情報を格納し、これを検出することを可能として、アクセス中の記録層の判断がすばやく正確にできるようにすることである。
【課題を解決するための手段】
【００１８】
本発明は、トラックに情報が変調されたウォブルが形成されている情報記録媒体から前記ウォブルに記録されている情報を読み取る情報検出装置において、前記ウォブルから得られたウォブル信号から基準クロック信号を生成するクロック生成手段と、前記基準クロック信号をもとに前記ウォブル信号からＦＳＫ変調情報、ＰＳＫ変調情報、又は、ＦＳＫ＋ＰＳＫ変調情報を検出する復調手段と、前記情報記録媒体が記録層が多層構造で各記録層についてデータの記録が可能であるときの前記記録層の別を示す層情報の位置を示すタイミング信号を出力する同期検出手段と、このタイミング信号により前記復調手段の出力を保持して、前記層情報を検出する層情報検出手段と、を備えていることを特徴とする情報検出装置である。
【００１９】
別の本発明は、トラックに情報が変調されたウォブルが形成されている情報記録媒体から前記ウォブルに記録されている情報を読み取る情報検出方法において、前記ウォブルから得られたウォブル信号から基準クロック信号を生成し、前記基準クロック信号をもとに前記ウォブル信号からＦＳＫ変調情報、ＰＳＫ変調情報、又は、ＦＳＫ＋ＰＳＫ変調情報を検出し、前記情報記録媒体が記録層が多層構造で各記録層についてデータの記録が可能であるときの前記記録層の別を示す層情報の位置を示すタイミング信号により、前記ウォブル信号からの検出情報を保持して前記層情報を検出する、ことを特徴とする情報検出方法である。
【００２０】
別の本発明は、記録層が多層構造で各記録層について光の照射によりデータの記録が可能であり、トラックに情報が変調されたウォブルが形成されている情報記録媒体において、前記ウォブルには前記記録層の別を示す層情報がＦＳＫ変調情報、ＰＳＫ変調情報、又は、ＦＳＫ＋ＰＳＫ変調情報として記録されている、ことを特徴とする情報記録媒体である。
【発明の効果】
【００２１】
本発明によれば、クロストークに強いＦＳＫ変調、ＰＳＫ変調、又は、ＦＳＫ＋ＰＳＫ変調で、記録層が多層構造で各記録層について光の照射によりデータの記録が可能である情報記録媒体に層情報を格納し、これを検出して、アクセス中の記録層の判断がすばやく正確にできるので、適切に情報の記録、再生を行うことができる。
【発明を実施するための最良の形態】
【００２２】
本発明を実施するための最良の一形態について説明する。
【００２３】
図１は、本例に適応される情報記録が可能な記録媒体であるディスク１０１（メディア）の構成例を示している。ディスク１０１には同心円状、もしくはスパイラル状にグルーブ１０２（溝）１０２とランド１０３からなるトラック１０４が形成されている。このトラック１０４はディスク形成装置により、あらかじめ作成されるものであって、情報（記録再生）装置は、このトラック１０４に沿って、情報の記録、再生を行なう。またディスク１０１には回転情報として、線速度一定もしくは角速度一定で回転した場合に、一定周波数（周期）の信号が検出可能なように、トラック１０４が蛇行（ウォブリング）している。ＣＤ−ＲＷやＤＶＤ＋Ｒ／ＲＷでは、このトラック１０４の蛇行を概略一定周波数としながら、周波数や位相を若干変える部分を設けることで、同期情報やアドレス情報を記録している。これをウォブルと呼ぶ。ウォブルのその他の形態として、トラック１０４の片側のみ蛇行しているものや、間欠的に蛇行が途切れている場合もある。
【００２４】
また、ディスク１０１の絶対位置を表す他の方法として、ピットやＦＣＭ（Fine Clock Mark）を形成することもできる。図２には、そのディスク１０１形状を示してある。ピットにはグルーブ１０２に存在するものや、ランド１０３に存在するものがある。図２の例は、グルーブ１０２に情報を記録するディスク１０１を示しているが、ランド１０３に記録することも可能である。グルーブ１０２を溝と考えると、グルーブピットとは図２（ａ）に示した様に溝の切れ間となる。このグルーブピット１０５は、反射光の強度変化、例えばＲＦ信号の振幅の変化で検出することが出来る。光磁気ディスク１０１など記録情報が反射信号の振幅変化以外で記録されている場合は、ＲＦ信号の振幅からグルーブピット１０５を容易に検出できる。しかし色素（Ｒ：レコーダブル）ディスクや相変化（ＲＷ：リライタブル）ディスクなど記録情報が反射信号の振幅変化で記録されている場合は、ピット情報と記録情報ともに同じ検出方法をとるので、領域分割するなどピット情報と記録情報を区別して判別できる様にすることが望まれる。
【００２５】
ランドピットとは、図２（ｂ）に示した様に、溝間のランド１０３にグルーブ１０２とほぼ同じ深さの穴が空いている状態といえる。このランドピット１０６は、プッシュプル信号（トラック１０４の接線方向に分割した受光素子から得られる差信号）の振幅として検出することが出来る。光スポットが正確にトラック１０４の中央にトラッキングしている場合には、記録情報成分はプッシュプル信号にはほとんど残らないため、ランドピット１０６は容易に検出できる。特定のグルーブ１０２にトラッキング中には左右のランド１０３にあるピットを検出することが出来るが、両方の組合せで情報としてもよいし、片側のみのピット列で情報列を構築してもよい。また、ＦＣＭは図２（ｃ）に示した様にトラック１０４のウォブリングが局所的に高周波、大振幅となったものと考えてよい。検出はウォブル信号と同様な方法で可能である。これらはウォブルと組合せて形成することができる。
【００２６】
以上のように、ディスク形成段階で埋め込まれた情報信号を用いることで、ディスク１０１上の絶対位置を特定することができる。たとえば、これらをウォブル信号の復調に必要な同期信号として用いれば、高い精度で位置決めを行なうことが出来る。
【００２７】
ディスク１０１が、記録層が多層構造で各層に情報の記録が可能である記録媒体の場合は、それぞれの層にこのウォブルが存在する。これらは少なくとも隣り合う２つの層で同一周波数となっていることが望ましい。ウォブル周波数が異なると、クロックや同期の引きこみに時間がかかるため、層間の移動が頻繁に行なわれる場合には、ウォブル周波数を同一とした方がすばやくアクセスできる。また、トラック１０４のスパイラル方向は複数の層で同じでも構わないし、層毎に反転されていてもよい。例えば、１層目と２層目のスパイラルが反転しているときの利点は次に示すとおりである。ディスク１０１を一定方向に回転させている状態で、１層目の内周にトラッキングすると、スパイラルに沿って外周側へ移動する。ある半径位置で層間ジャンプして２層目にトラッキングすると、ディスク１０１の回転方向は同じでもスパイラルに沿って今度は内周側へ移動する。すなわち、動画像など連続的な情報を２層に渡って再生する場合、ディスク１０１の回転方向を変えずに同じ半径位置で層間ジャンプするだけで両層の情報を連続的に再生できるのである。全層同じにした場合の利点としては、ディスク回転数一定で記録再生する場合、ディスク外周の方が線速度が速いので、情報転送レートが高いことが挙げられる。このため、ディスク外周を優先的に使用できるようにスパイラルを全周とも外周から内周へトラッキングするべく形成すると、記録開始から最高転送レートとなる。
【００２８】
また、通常、ウォブリングはグルーブ１０２に形成することが多いが、ランド１０３に形成してもグルーブ１０２の場合と大きな違いは無く、信号生成の極性を反対にすればよい。情報を格納することのできる記録層が多層であった場合、記録できないＲＯＭ層と記録可能な記録層が存在する構成としていてもよい。以下に説明する例では、ディスク１０１の記録原理や記録溝の種別、層数には制限され得ることなく、少なくともウォブリングで情報を格納するディスク１０１に適応可能である。
【００２９】
図３にディスク１０１に照射された光ビームの反射光を受光し、各種信号を抽出する受光素子周辺の信号処理ブロックの一例を示す。すなわち、ディスク１０１からの反射光を4分割ＰＤ（受光素子）１１１で受光する。この4分割受光素子１１１は光学的にディスク１０１の表面のトラック１０４の接線方向とそれに垂直方向に対応する分割線で４つに仕切られている。これを便宜的に図３の左前より時計回りにＡ〜Ｄとする。受光素子出力は電流信号なので、Ｉ／Ｖ回路１１２によって電圧信号に変換する。電圧変換された信号は後段の演算回路１１３で、様々な加算、減算を行って各種信号が抽出される。トラッククロス信号は、“Ａ＋Ｂ＋Ｃ＋Ｄ”の演算結果の低周波信号である。トラックエラー信号はプッシュプル信号ともいうが、“（Ａ＋Ｄ）−（Ｂ＋Ｃ）”で求める低周波信号である。フォーカスエラー信号は非点収差法の場合、“（Ａ＋Ｃ）−（Ｂ＋Ｄ）”で求める低周波信号である。これらをサーボ信号といい、光ビームをトラッキングさせるために使用される。ウォブル信号は“（Ａ＋Ｄ）−（Ｂ＋Ｃ）”の高周波信号である。ここではトラックエラー信号と同じ回路で演算しているが、もちろん別の回路で演算しても良いし、演算回路１１３を構成する減算アンプの前に各種補正回路を挿入しても良い。また、再生（ＲＦ）信号としては高帯域の別回路で演算することが望ましいため、Ｉ／Ｖ回路１１２の後段で直接４つの信号を加算して演算している。
【００３０】
ここで示したのは各種信号の最も簡単な演算方法の例であるが、４分割受光素子（ＰＤ）１１１の分割形状はこの例に限定されるものではなく、光ビームの数や光路に応じてさらに細かく分割されていても構わないし、逆に２分割、３分割と少なくてもよい。それぞれの受光形態に応じて信号演算を最適化すればよい。さらに、メインとサブからなる複数の光ビームから各種信号を検出する場合でも構わない。例えばトラックエラー信号は３つの光ビームを受光して演算する３ビーム法やＤＰＰ（ディファレンシャルプッシュプル）法などの場合である。トラッククロス信号も３ビームで演算することもできる。トラックエラー信号はＤＰＤ（ディファレンシャルフェーズディテクション）法でも構わない。またフォーカス系はナイフエッジ法など別の受光素子から演算されてもよい。
【００３１】
すなわち、検出法によって演算法を適正化すればよく、そのディスク１０１から信号を抽出する方法、手段は問題ではない。
【００３２】
一般的なウォブル変調方式の例として、図４にウォブル信号の波形でいくつか示した。１番上のモノトーンは変調のないＳＩＮ波の連続で、搬送波領域などに使用される。２番目は変調データで、以降の変調ウォブル信号はこのデータに対応している。３番目はＦＳＫ（ＦＭ）変調が重畳されたウォブル波形でモノトーンの１／２周波数を用いた場合である。4番目はＰＳＫ（ＰＭ）変調、５番目はノコギリ変調、６番目はＭＳＫ変調、７番目はＯＮ−ＯＦＦ変調である。それぞれ利点、欠点があるため、本例では、ディスク１０１にこれらの変調方式が一部組合わされて使われていてもよい。なお変調はアドレスなどの情報を含むために挿入される。
【００３３】
ウォブルの変調により位置情報を記録する場合のフォーマット全体像の例を図５に示す。一般的なフォーマットでは図５（ａ）に示す様に、大部分を占める搬送波領域（搬送波）と、同期情報部（同期）、そしてアドレス情報部（ＡＤ）が存在する。搬送波領域から得られた搬送波成分で基準クロックを生成し、この基準クロックをもとに周期的に現れる同期情報部の位置を特定し、同期情報部から所定距離（ウォブル数）離れた位置にあるアドレス情報部の復調結果からアドレス情報を読み取り、ディスク１０１上の位置を検出する。同期情報部の変調形態は一般的にアドレス情報部やその他（層情報部）の領域には無い、もしくは少ないものが使われており、周期的に発生するので区別ができる。
【００３４】
本例では、図５（ｂ）や（ｃ）のように、現在アクセス中の記録層が何層目の記録層であるかを示す層情報を格納する。図５（ｂ）では、同期情報部とアドレス情報部は連続しており、層情報部は搬送波領域に挟まれた位置に配置している。同期情報部とアドレス情報部を離して配置してもアドレスを読み出せないことはないが、その間に外乱等によりクロックずれ（同期情報部を基準としたウォブル数カウントがずれること）が発生した場合は誤検出となる。アドレス情報は、アクセス位置の移動時など、頻繁にかつ高速に読み出す必要があることから、正確で信頼性の高い検出が期待されるので、極力、同期情報部に接近して配置されるのが望ましい。同様に、層情報部も同期情報部、アドレス情報部に接近して配置されてもよいが、変調部が長くなると基準クロック生成のための搬送波成分が長期間抽出できず、基準クロックが不安定になる不具合も出てくる。ウォブルの変調部においては搬送波を抽出するためのＢＰＦ出力が乱れるため、極力変調部分の連続は避けたい。この乱れは、搬送波１〜２周期分の変調では大きな乱れとはならないが、それ以上変調部が長くなると、ＢＰＦ出力の波形（周期）が乱れてしまい、基準クロック生成に悪影響となる。もちろん、乱れはＢＰＦの特性によるので、基準クロックの抽出に問題が無ければ、同期情報部とアドレス情報部に連続して、層情報部を格納しても良い。
【００３５】
層情報は、基本的に記録層を変更した時に読み出されるだけなので頻度は少なく、かつ情報量が数bitと少なく短時間で読出し可能なので、何度もチェックすることが容易である。例えクロックずれが発生しても、このチェックにより間違いが発見でき、リトライ再生が可能である。このため、層情報部は同期情報部やアドレス情報部と離れた位置に配置しても問題は少なく、基準クロック生成への悪影響を回避することが望ましい。
【００３６】
また図５（ｃ）の例では、層情報部を間欠的に配置している。アドレス情報を表すには多くのビット（情報量）が必要であるが、前述のように変調部を連続させると不具合があるため、１箇所のアドレス情報部には情報の一部分である１〜２ビット程度しか配置せず、複数のアドレス情報部に渡ってアドレス情報を格納する。言いかえれば、同期情報部とアドレス情報部と搬送波領域を１セットとしたとき、１つのアドレスを完成させるためにはいくつものセットの情報をまとめる。逆に、層情報は２層の記録層を判別するには１ビット、４層でも２ビットで足りるため、セット毎全てに層情報を格納する必要は必ずしもない。複数のセット毎に層情報を格納すれば十分である。層情報部としてはセット毎に確保し、層情報と別の情報を交互に格納することもできる。もちろんセット毎に何度も格納すれば、繰り返しにより信頼性が上がる上、すばやい層判別が可能になる利点はある。
【００３７】
このように、アドレスと同様な格納方法、すなわち複数のセットの情報をまとめて完全な情報となる方法で埋め込まれた層情報の判別には、非常に長くウォブルの変調情報を読み取る必要があるが、ウォブルの特定位置に刻まれた層情報部のみの判別で層検出が可能であれば短時間での判断が可能である。層情報の変調部に限るわけではないが、変調部は極力短い期間で情報を格納すべきである。
【００３８】
本実施の形態では、ディスク１０１に対し、図４に示したウォブル波形のうち、ＰＳＫ、ＦＳＫ、ＦＳＫ＋ＰＳＫ（ＰＳＫとＦＳＫの組み合わせ）を用いることを提案する。図６には、この場合の具体的なウォブル波形を示す。図６の上に井桁付きの番号で示された番号は、変調部の先頭ウォブルをｎ番目として搬送波周期毎に数えた番号である。ＰＳＫは＃ｎに搬送波周期で位相が０度と１８０度に変化することにより情報を格納する方式であり、ＦＳＫ−１は＃ｎと＃ｎ＋１に、搬送波周期の２倍の周期（１／２周波数）のウォブル波形が有るか、搬送波周期のウォブル波形かで情報を格納する方式であり、ＦＳＫ−２は＃ｎに搬送波周期の１／２倍の周期（２倍周波数）のウォブル波形が有るか、搬送波周期のウォブル波形かで情報を格納する方式であり、ＦＳＫ−３はＦＳＫ−１の搬送波１周期のみで情報を格納する方式であり、ＦＳＫ−４は＃ｎと＃ｎ＋１及び＃ｎ＋２に搬送波周期の３倍の周期（１／３周波数）のウォブル波形が有るか、搬送波周期のウォブル波形かで情報を格納する方式であり、ＦＳＫ＋ＰＳＫ−１は、＃ｎと＃ｎ＋１に搬送波の２倍の周期（１／２周波数）のウォブル波形で、位相が０度と１８０度に変化することにより情報を格納する方式であり、ＦＳＫ＋ＰＳＫ−２は、＃ｎに搬送波の１／２倍の周期（２倍周波数）のウォブル波形で、位相が０度と１８０度に変化することにより情報を格納する方式である。代表例を示したが、周期を変更するＦＳＫと、位相を変更するＰＳＫ、またそれらを組合せたＦＳＫ＋ＰＳＫとがあり、その周期や情報１bitを示すのに必要な搬送波長には制約される必要はない。
【００３９】
図６のウォブル波形をフォーマットの全体像に当てはめて図示したものが図７である。同期情報部を＃０〜３、アドレス情報部を＃４，５、層情報部を＃ｎ，ｎ＋１、それ以外を搬送波部としている。もちろん、それぞれの領域の長さや配置は、これに限らない。層情報部の位置＃ｎに関しては同期情報部間隔のおおよそ半分くらいが適当である。しかしながら、アドレス情報部の変調部分でウォブル２値化信号の周期が乱れ、基準クロックが一時的に数ウォブル程度の期間不安定になる領域を除けば、何処に配置してもよい。
【００４０】
図７において、Type1のアドレス情報部は、搬送波２倍周期のＦＳＫ変調、層情報部は搬送波周期のＰＳＫ変調を示している。Type2のアドレス情報部は、搬送波２倍周期のＦＳＫ＋ＰＳＫ変調、層情報部は搬送波周期のＰＳＫ変調を示している。Type3のアドレス情報部は、搬送波２倍周期のＦＳＫ変調、層情報部は搬送波２倍周期のＦＳＫ＋ＰＳＫ変調を示している。Type4のアドレス情報部は、搬送波の２倍周期のＦＳＫ＋ＰＳＫ変調、層情報部は搬送波２倍周期のＦＳＫ＋ＰＳＫ変調を示している。アドレス情報部と層情報部の変調方式が異なれば、それらを間違えることはないが、例え同じ変調方式であっても、同期情報部からの位置によってそれらを混同することはない。
【００４１】
層情報部は図７では搬送波２周期を割り当てている。これは、変調方式に応じて適正な長さがあるが、クロック生成への悪影響やクロストークへの耐性を考慮すると、極力少ない搬送波周期で情報を格納することが望ましい。また、ＦＳＫでは搬送波の整数倍が望ましい。例えば、２層ディスク１０１を表すためには、“０”と“１”の１bit情報が必要であるが、これは搬送波１周期分で格納する。４層ディスク１０１であれば、２bit情報が必要なので、搬送波２周期分で格納する。具体的には、図６に示したＰＳＫやＦＳＫ−２、ＦＳＫ−３、ＦＳＫ＋ＰＳＫ−２などで、搬送波１周期で完結するタイプの変調方式を用いると良い。もちろん、ＦＳＫ−１のように１bitを搬送波２周期で表しても良いが、記録層が多くなると、クロック生成上不安定期間を長くすることになる。
【００４２】
Type1〜Type4までは同期情報部にＰＳＫ変調を示してある。ＰＳＫ変調方式は高い信号Ｓ／Ｎが得られるので、搬送波部分との区別が容易で同期情報部に使用することが望ましい。しかしながら、隣接トラックにある同周波数のウォブル成分が漏れ込むと（クロストーク）振幅や位相変動が発生し、復調信号Ｓ／Ｎが低下する。同期信号に限っては周期的なので稀に誤検出があっても補間できるので、ＰＳＫ変調とする利点はある。ＰＳＫ変調方式以外の例として同期情報部にＦＳＫ変調方式を用いても構わない。
【００４３】
１／２周期のＦＳＫ変調で１搬送波期間とした場合をType5に示した。Type1〜4と同様に同期信号として検出することができる。復調信号Ｓ／ＮはＰＳＫ方式に比べ若干低下するが、隣接トラックの搬送波ウォブルとは周波数が異なるため、クロストークによる悪影響を受け難く、クロストークが大きい場合はＰＳＫ方式よりＦＳＫ方式の方が有利である。搬送波２倍周期のＦＳＫを用いても良い。その他、図２に示したようなピット信号やＦＣＭにより同期情報部を形成してもよい。グルーブピット１０５を同期信号として用いる場合は、グルーブピット１０５の検出系とウォブル検出系が異なるため、タイミング補正が必要になる。グルーブピット１０５は和信号処理系（例えばＲＦ処理系）から検出されるが、ウォブルは差信号処理系（ウォブル処理系）から検出される。このため、和信号処理系と差信号処理系の遅延時間差を調整して、ウォブルのアドレス情報部や層情報部の位置を正確に示す必要がある。グルーブピット１０５に限らず、同期情報部を検出する系と、アドレス情報部や層情報部を検出する系が異なる場合は、それぞれの復調処理遅延の差を調整してタイミングを合わせる必要がある。
【００４４】
以上のような構成で、複数の記録層を積層した記録ディスクをディスク１０１に層情報を記録すると、層情報の判別が正確にかつ、すばやく行なえる。なお、多層ディスクと単層ディスクの互換を取るためには、単層ディスクに対しても同様に層情報を盛り込んでおくことが必要である。
【００４５】
次に、アクセス速度や再生専用ディスクとの互換性を考える。異なる半径位置への移動（シーク）時には、現在アドレスと目標アドレスを元に、移動距離を計算してピックアップなど可動部を動かす。一般的にディスク１０１には線密度一定で情報は記録されているので、外周ほど１周あたりの記録情報が多く、半径位置とアドレス情報は線形の対応とならない。もちろん少し複雑な計算を行なえばアドレス情報から半径位置が求まるが、アクセス時間を短くするためには、アドレスと半径位置の対応を示すテーブルなどを記憶して、参照することが望ましい。
【００４６】
既に実用化されている２層ＤＶＤ−ＲＯＭでは、層毎にアドレス情報を変えることで層判別することができた。これは、光学的反射レベルがそもそも１層ＤＶＤ−ＲＯＭとは異なって低いので、第１次判別の方法は反射率や信号レベルなどで可能であるものの、バラツキ要因が大きく、最終的にはアドレス情報を用いて層を判別する。しかし、それぞれの層毎に前記のテーブルを用意すると、メモリ容量を単層の場合に比べて倍にする必要がある。これを避けるため、ＤＶＤ−ＲＯＭでは同じ半径位置でのアドレス情報に層間関係を持たせ、具体的には補数関係にして、１層目のアドレス情報に対して半径位置とのテーブルを用意しておき、２層目は１層目のアドレス情報に補数計算で変換した後、半径位置を求める方法がとられている。補数計算はbit反転で可能なので、容易に計算できる。しかしながら、３層以上の多層の場合には、この補数関係も適応しにくく、層毎にアドレス情報を変える（重複しないようにする）ためには情報量を増やす必要があり、非効率である。このため、３層以上のＲＯＭディスクでは、層毎にアドレス情報の配列は変えることなく共通で、記録情報内に層情報を格納することが望ましい。もちろん再生専用のＤＶＤ−ＲＯＭでは、トラックやウォブルは存在しないので、アドレス情報や層情報は他の記録情報と同じように格納されればよい。そのアドレス情報はセクタ単位（比較的小さいデータの区切り）で完結しており、アドレス情報の読込は比較的短時間で可能なフォーマットとすべきである。
【００４７】
記録ディスク１０１はウォブルに格納された層情報を検出することでアクセス中の記録層を判別することができるが、前述の様に再生専用ディスク１０１にはウォブルがなく、層情報は記録情報から検出する必要がある。記録ディスク１０１に記録する情報と、再生専用ディスク１０１に記録された情報のフォーマットは必ずしも同じにする必要はない。しかしながら、記録情報のうち層情報の格納方法を再生専用ディスク１０１と記録ディスク１０１で共通化しておくことで、ウォブルの層検出機能を持たない再生専用の装置においても、記録済ディスク１０１を再生した場合に層判別をすばやく行なうことが出来る。
【００４８】
図８は、前述のようなフォーマットを用いたディスク１０１からアドレス情報と層情報を検出する情報検出装置１６１の装置構成のブロック図である。特に、同期信号もウォブルの変調から検出する場合を例に挙げている。まず、ウォブル信号に含まれる搬送波成分をクロック生成手段１２１により抽出してクロックを生成すると共に、復調に必要な周波数の基準クロック信号も生成する。クロック生成手段１２１の具体例については後述する。基準クロック信号をもとに、第１及び第２の復調手段１２２，１２３において、ウォブルに含まれる変調成分を復調、抽出する。例えば、第１の復調手段１２２においては、搬送波周波数と同じ周波数の基準クロックｆ１信号を使い、ＰＳＫ変調部の復調を行なう。第２の復調手段１２３においては、搬送波周波数の１／２周波数の基準クロックｆ２信号を用いて、搬送波２倍周期のＦＳＫ変調部、もしくはＦＳＫ＋ＰＳＫ変調部を復調する。同期検出手段１２４では、同期情報部の変調方式にあった入力信号を選ぶ。例えば、同期情報部がＰＳＫ変調方式であれば、第１の復調手段１２２の出力信号を入力として選択する。この入力信号の間隔をクロック信号に基づいてカウントし、周期的な同期情報部を検出し、同期引きこみを行なう。引きこみ後に稀ではあるが誤検出があると（本来発見されるべき同期位置で信号が発見されなかった場合）、擬似同期信号を生成し補間するなどして、カウントは通常通り継続する。同期情報部の発生タイミングを基準に、クロック信号をカウントし、ディスク１０１でフォーマット上のアドレス情報部が配置されているタイミングでアドレス情報検出手段１２５にタイミング信号を出力し、かつ、層情報が配置されているタイミングで層情報検出手段１２６にタイミング信号を出力する。アドレス情報検出手段１２５と層情報検出手段１２６では、それぞれの変調方式に対応する復調手段の出力を入力信号としてセレクタ１２７により選択する。前記タイミング信号に応じて、アドレス情報信号および層情報信号を検出する。
【００４９】
図９は、同期情報部としてピットやＦＣＭを用いたときの層情報、アドレス情報を検出するための情報検出装置１６１の装置構成を示している。図８と同一符号のブロックは、図８と同様の機能であるため、詳細な説明は省略する。グルーブピット１０５を用いる場合（図２（ａ））、和信号処理系から検出されるため、入力信号は“Ａ＋Ｂ＋Ｃ＋Ｄ”とする。ランドピット１０６（図２（ｂ））やＦＣＭ（図２（ｃ））を用いる場合は差信号処理系から検出されるため、入力信号は“（Ａ＋Ｄ）−（Ｂ＋Ｃ）”とする。これらにはそれぞれフィルタなど事前に信号処理を施してもよい。同期検出手段１２８ではクロック信号に基づいて入力信号をサンプリングして、同期信号を見つけ、同期性を確認した上で、同期引きこみを行なう。もしウォブル検出系と同期検出系で信号遅延が異なる場合は、この同期検出手段１２８内で遅延補正を行なえばよい。アドレス情報検出手段１２５や層情報検出手段１２６へのタイミング信号生成や、第１、第２の復調手段１２２，１２３、アドレス情報検出手段１２５と層情報検出手段１２６の説明は、図８を参照して前述の通りである。
【００５０】
図１０に、クロック生成手段１２１の詳細な装置構成のブロック図を示す。図１０において、ウォブル信号はノイズ成分や変調部を含んでいるため、ＢＰＦなどのフィルタ１３１で搬送波成分のみ抽出する。この搬送波成分の信号をもとにＰＬＬ回路１３２にて時間軸方向のノイズ（ジッタ）を除去した安定した周波数特性を持ちながら、回転変動などには追従したPLLCK信号を生成する。なお、ＰＬＬ回路１３２の入力信号は２値化してあってもよい。PLLCK信号はDutyが５０%とは限らないため、ウォブル周波数より高い周波数を設定しておき、後段で分周手段１３３により１／Ｌの周波数に分周することでシステム的に必要な周波かつDutyも５０％のクロック信号を生成する構成とすることが望ましい。またPLLCK信号は基準クロックを生成するためにｆ１信号周波数となるように分周手段１３４で１／Ｍの周波数に分周する。また、ｆ２信号周波数となるように１／Ｎの周波数にも分周手段１３５で分周する。なお分周の方法については、この限りではなく、PLLCK信号から各出力の目的周波数に応じて分周されていれば良い。例えば、クロック信号とｆ１信号が同周波数であれば、１／Ｌと１／Ｍは共通化できるし、ｆ２信号がｆ１信号より高い周波数であれば、ｆ１信号とｆ２信号を入れ替えても構わない。位相調整手段１３６は、第１又は第２の復調手段１２２，１２３で使用するウォブル信号と、基準クロック信号もしくは基準クロック信号をもとに作られたＳＩＮ波信号などとの位相を合わせる目的で、PLLCK信号の位相を調整する。各種フィルタやＰＬＬ回路１３２などを通過すると信号の位相が変化するが、第１又は第２の復調手段１２２，１２３では、ウォブル信号と、基準クロック信号もしくは基準クロック信号をもとに作られたＳＩＮ波信号などが同位相であることが、高い復調性能を得る上で必要となる。そこで、位相調整手段１３６により、PLLCK信号の位相を調整することで、基準クロック信号の位相を調整する。もちろん、ｆ１信号とｆ２信号それぞれ独立に位相調整手段１３６を備えても構わないが、効率化を考え、本例ではPLLCK信号処理する位置に用意した。また、位相調整手段１３６の機能をＰＬＬ回路１３２に搭載してもよいし、位相調整手段１３６に分周回路１３２〜１３５やＳＩＮ波信号を発生するＳＩＮ波発生回路を含んでいても良い。
【００５１】
一方、ウォブル信号のフィルタ出力は変調部で信号が乱れる。その様子を図１１に示す。ここではフィルタをＢＰＦとし、変調部でＢＰＦ出力が乱れていることを示している。ＰＬＬ回路１３２への入力としてＢＰＦ出力を２値化した信号を使うとして、その２値化信号は、ウォブル信号の変調部の付近で非常に乱れている（図１１（ｃ）の符号１４１の囲み内）。ＰＬＬ回路１３２では、この乱れが続くと、動作が不安定になりやすい。そこで、変調部もしくはフィルタ出力が乱れる期間を示すマスク信号（図１１（ａ））でＰＬＬ回路１３２の位相比較動作を休止するようにするようにすると、ＰＬＬ回路１３２の動作を安定に保つことが出来る。このマスク信号は同期検出手段１２８より容易に発生させることができる。
【００５２】
次に、図１２〜図１４を用いて、第１、第２の復調手段１２２，１２３の動作を説明する。図１２は、第１、第２の復調手段１２２，１２３の構成例を示すブロック図であり、アナログ方式（ａ）とデジタル方式（ｂ）の２種類を示している。
【００５３】
まず、アナログ方式について説明する。ウォブル信号に重畳されたノイズなどはＢＰＦなどのフィルタ１４１で除去する。一方、基準クロック信号を元に信号発生器１４２で同周波数のＳＩＮ波信号を生成する。このウォブル信号、ＳＩＮ波信号の２つの信号を乗算器１４２にて演算処理する。このときＳＩＮ波信号を使用したが、これは復調性能を高めるためであり、若干の性能劣化を許容する場合は、基準クロック信号をそのまま用いても良いし、基準クロック信号（デジタル信号）とＳＩＮ波信号（アナログ信号）の中間的な階段状の波形でも構わない。乗算器１４３の出力を後段の積算器１４４で特定の期間（ＣＬＲで示される）積算し、サンプルホールド回路１４５で特定のタイミング（ＳＭＰで示される）で信号レベルをホールドする。ＣＬＲは一般的に搬送波周期毎に搬送波の位相ゼロ付近で出力され、積算器１４４の値を初期化する。ＳＭＰも搬送波周期毎に出力されるが、ＣＬＲの出力の直前に出力され、ＣＬＲにより初期化される直前の積算器１４４の出力をホールドする。なお、ウォブル信号の変調部が複数の搬送波周期で構成されている場合は、搬送波周期ではなく、変調部の切れ目としてもよい。ＣＬＲやＳＭＰは、例えば同期検出手段１２８にて生成される。
【００５４】
デジタル方式でも、同様にウォブル信号はフィルタ１５１にて重畳されたノイズ成分を除去され、Ａ／Ｄコンバータ１５２にて量子化する。これは、例えば８bit程度のＡ／Ｄコンバータで良い。Ａ／Ｄコンバータ１５２のサンプルクロックは、PLLCK信号を分周器１５３で１／ｋの周波数に分周した信号とするが、ウォブル信号の４倍以上の周波数が復調性能から見て適当である。このクロック毎に後段のＲＯＭ１５４に格納されているデータを出力する。このＲＯＭデータはＳＩＮ波を階段状に表すデータ、搬送波又は変調周期の矩形波などを順次出力すればよい。そして、Ａ／Ｄコンバータ１５２で取りこんだウォブル信号のデータと、ＲＯＭ１５４から出力されたデータを乗算器１５５にて乗算演算し、アナログ方式と同様に積算器１５６、サンプルホールド回路１５７で積分処理、サンプルホールド処理を行なう。これらは基準クロック信号の周波数や、PLLCK信号の分周比１／ｋがウォブルの搬送波周期もしくは変調周期にあわせて入力されれば、第１の復調手段１２２にも第２の復調手段１２３にも対応できる。また、ＲＯＭデータを各変調部の基準ＳＩＮ波形状に応じて変更することで、第１の復調手段１２２と第２の復調手段１２３の機能を１つの復調手段で実現することもできる。例えば、ＰＳＫ変調部のＲＯＭデータは搬送波形状とし、搬送波２倍周期のＦＳＫ＋ＰＳＫ変調部のＲＯＭデータは搬送波手記の２倍の波形としておけば良い。
【００５５】
図１３は、第１の復調手段１２２と第２の復調手段１２３の動作を説明するタイミングチャートである。図１３には、第１の復調手段１２２にかかわる信号、第２の復調手段１２３にかかわる信号を、それぞれ示している（なお、図１２（ａ）のアナログ回路の例で説明する）。前述の同期情報部＃０にＰＳＫ変調、アドレス部＃６，７（ここでは、前述の図７とは異なる）にＦＳＫ変調を配置したディスク１０１からのウォブル信号をアナログ方式で復調する波形を示した。
【００５６】
まず、上段に記載の第１の復調手段１２２の波形を説明する。ウォブル信号の搬送波成分から生成された基準クロックであるｆ１信号を基に信号発生器１４２ではＳＩＮ波信号を生成する。その後、乗算器１４３にてウォブル信号とＳＩＮ波信号と乗算演算する。もちろん、ウォブル信号は前処理として、ＨＰＦ（ハイパスフィルタ）などのフィルタを通過させておくと良い。乗算結果は積算器１４４にて変調周期、ここでは搬送波周期毎に積算演算され、サンプルホールド回路１４５にて積算結果をサンプルし、次のサンプルの時までホールドしておく。この場合は、サンプルホールド出力が＋側は大部分の搬送波領域、−側になった時がＰＳＫ変調により位相が１８０度異なった位置を示している。復調は搬送波周期で行なっているので、復調結果は１搬送波周期だけ遅れて出力される。よって、期待されるウォブル番号で＃０の場所にサンプルホールド出力は−側のＰＳＫ変調部が再現されている。積算器１４４のＣＬＲ信号と、サンプルホールド回路１４５のＳＭＰ信号は、ほぼサンプルホールド（Ｓ／Ｈ）出力信号に、図１３中、“〇”で示したタイミングで動作する。ウォブル信号の＃０には同期情報部の位相反転部があり、この復調方法で識別できるので、得られた同期信号をもとにアドレス情報の位置を示す信号や、層情報の位置を示す信号を出力することができる。また、＃６,７にはＦＳＫ変調部がある。ＦＳＫ変調は、例えばデータ“０”に対し搬送波周期のウォブル、データ“１”に対して搬送波の２倍周期のウォブルに対応させている。よって、データ“０”の点線では、復調結果であるサンプルホールド出力は搬送波と同じ信号レベル（＋側）が検出される。逆にデータ“１”の太実線では、サンプルホールド出力はゼロレベルと変化するので検出することができる。ＰＳＫ変調とＦＳＫ変調のフォーマットであれば、第１の復調手段１２２だけでも復調は可能である。しかし、さらに第２の復調手段１２３を設けることにより、両復調手段の復調結果が同じであれば、復調結果を正しいと判断し、異なっていれば再度読みこむなど信頼性が高められる。
【００５７】
すなわち、第２の復調手段１２３では、搬送波の２倍周期であるＦＳＫ変調部を復調するために、ｆ２信号として搬送波の２倍周期を用いるので、乗算演算するＳＩＮ波も搬送波の２倍周期である。乗算器１４３、積算器１４４、サンプルホールド回路１４５の動作は第１の復調回路１２２とほぼ同じである。搬送波領域での復調結果はゼロである。図１３の＃５，６の部分の波形をみてみると、データ“０”、すなわち点線時のサンプルホールド出力は搬送波領域の結果と等しいゼロレベルとなる。データ“１”の太実線時のサンプルホールド出力は＋側となり、ゼロから変化するので、変調部を検出することが出来る。なお、この第２の復調手段１２３における同期情報部のＰＳＫ変調部の復調結果も、搬送波領域と同じゼロレベルであるので、ＦＳＫ部のみが変化する信号となり、ＦＳＫ部のデータを探すことも比較的容易である。
【００５８】
図１４は、アドレス情報部にＦＳＫ＋ＰＳＫ変調を配置した場合の例を示すタイミングチャートである。アドレス情報部以外は図１３と同様である。アドレス情報部のＦＳＫ＋ＰＳＫ変調は、例えばデータ“０”に対し搬送波２倍周期のウォブル（太実線）、データ“１”に対して搬送波２倍周期のウォブルを位相を１８０度変えた（反転させた）波形（点線）に対応させている。第１の復調手段１２２の＃６,７の復調結果は、データ“０”、“１”に関わらずゼロとなる。一方、第２の復調手段１２３の復調結果は、データ“０”に対して＋側、データ“１”に対して−側と明確に変化する。このように、ＦＳＫ＋ＰＳＫ変調の復調では、第２の復調手段１２３から品質のよい復調結果を得ることが出来る。なお、ここまでの説明に記載してある変調波形とデータ“０”、“１”の関係は、特にこれだけに限定する趣旨ではなく、あくまでも例示である。
【００５９】
なお、ＦＳＫ変調およびＦＳＫ＋ＰＳＫ変調がクロストークに強い理由について簡単に説明しておく。ディスク１０１で、隣接トラックのウォブル成分は、大部分が搬送波周波数である。第１の復調手段１２２で検出されるのはｆ１信号周波数成分、すなわち搬送波成分の位相であるため、クロストーク成分も同時に復調結果に重畳されてしまう。よって、ＰＳＫ変調はクロストークが小さければ、＋／−の分離ができるため復調品質が良い（Ｓ／Ｎが高い）が、クロストークが大きいと復調結果がクロストークの影響を受け、劣化する。一方、第２の復調手段１２３で検出するのはｆ２信号周波数成分の位相である。これは搬送波領域の復調結果はゼロとなっているが、クロストーク成分も搬送波周波数が大部分であるので、同様にゼロとなる。すなわち、ＦＳＫ変調部分の復調結果にクロストークのある特定周波数の影響はほとんどないことになる。もちろん、クロストーク成分にｆ２信号周波数成分が多ければ、クロストークの影響を受けることになるので、極力、ＦＳＫ変調部分の割合は少なくすべきである。よって、ウォブルへの情報はＦＳＫ変調ばかりでなく、他の変調方式を組合せることが望ましい。
【００６０】
以上のように、同期情報部やアドレス情報部に示した変調部を図１２などで例示した回路で復調することができるが、同様に、層情報部にＰＳＫ変調やＦＳＫ変調、ＦＳＫ＋ＰＳＫ変調で格納された情報も復調することができる。
【００６１】
なお、図１２で示した回路は同期検波方式を用いた例を示しているが、通信分野などで周知である遅延検波方式で実現しても構わない。
【００６２】
次に、記録層が多層構造で各記録層についてデータの記録が可能な情報記録媒体であるディスク１０１を形成するのに好適である、情報記録媒体形成装置の一構成例である光ディスク形成装置２０１について説明する。
【００６３】
図１５は、ディスク１０１のトラック１０４を形成する光ディスク形成装置２０１の電気的な接続を示すブロック図である。図１５において、まず、クロック発生回路２０２はディスク１０１の回転情報とアクセス中の半径位置に応じた半径情報をモータ制御回路２１５もしくは本システムを管理しているシステムコントローラ（図示せず）から受け取り、ウォブル周波数を生成するのに適切な基準クロック信号を発生する。これは、例えば、図７のType2に記載したウォブルフォーマットにする場合の例であれば、搬送波周波数であるｆ１信号、搬送波の１／２周波数であるｆ２信号の２種類の基準クロックを生成する。
【００６４】
その基準クロック信号をもとに、ＳＩＮ波発生回路２０３，２０４ではそれぞれＳＩＮ波状信号（ｆ１信号ＳＩＮ波、ｆ２信号ＳＩＮ波）を発生する。また、０度と１８０度の位相をもつＰＳＫ変調またはＦＳＫ＋ＰＳＫ変調ウォブルを生成する場合は、反転回路２０５，２０６でこれらのＳＩＮ波状信号を極性反転した信号もそれぞれ生成する。それ以外の位相、例えば、０度、９０度、１８０度、２７０度などの４つの位相を使うＰＳＫ変調（特にQＰＳＫ変調という）を用いる場合には、反転回路２０５，２０６を、信号を反転ではなく必要な位相に切替える回路（位相切替回路）に置き換えれば良い。このようにして、ＳＩＮ波発生回路２０３，２０４、反転回路２０５，２０６（あるいは位相切替回路）で生成された各信号は、後段の選択回路２０７〜２０９で選択出力され、同期情報部やアドレス情報部、層情報部など、搬送波に変調が施されるべき位置で、これらの信号の中から適切な信号が選択出力される。選択回路２０７〜２０９を駆動する選択信号としては、所定の第１の情報信号、第２の情報信号、第３の情報信号が用いられる。すなわち、第１の情報信号により、ｆ１信号ＳＩＮ波又はその反転信号（あるいは位相を切換えた信号）が選択出力され、第２の情報信号により、ｆ２信号ＳＩＮ波又はその反転信号（あるいは位相を切換えた信号）が選択出力され、第３の情報信号により、選択回路２０７、２０８からの各出力信号のいずれかが選択出力される。
【００６５】
例えば、図７のType2の場合では、同期情報部と層情報部は搬送波周波数のＰＳＫ変調、アドレス情報部は搬送波の１／２周波数のＦＳＫ＋ＰＳＫ変調である。この場合、第１の情報信号は同期情報部および層情報部（データに応じて）においてｆ１信号ＳＩＮ波の反転信号（あるいは位相を切替えた信号）を選択する信号であり、第２の情報信号はアドレス情報部でデータに応じてｆ２信号ＳＩＮ波の反転信号（あるいは位相を切替えた信号）を選択する信号、第３の情報信号はアドレス情報部においてｆ２処理系（ｆ２信号ＳＩＮ波又はその反転信号（あるいは位相を切替えた信号））の方を選択する信号となる。
【００６６】
これら第１から第３の情報信号は、ウォブル変調回路２１０にて生成される。ウォブル変調回路２１０ではあらかじめ同期情報部やアドレス情報部、層情報部の情報などを準備しておき（後述）、クロック毎に、これら情報に応じて第１から第３の情報信号を順次出力する。第３の情報信号により最終的に選択されたウォブリング信号は、レーザー変調器２１１やモータ制御回路２１５に出力される。
【００６７】
記録装置２１４は、レーザー変調器２１１、光学系２１２、モータ制御回路２１５により構成される。第３の情報により選択されたウォブリング信号は、レーザー変調器２１１やモータ制御回路２１５に送られ、所定の光学機器を組み合わせて構成される周知構成の光学系２１２は、このウォブリング信号に基づいてレーザー光を発光させてレーザースポットをディスク１０１に集光し、ディスク１０１にトラック１０４を形成する。モータ制御回路２１５は、ディスク１０１を回転する回転駆動系２１３の駆動源となるモータや、光学系２１２でディスク１０１に集光するレーザースポットを調整する駆動源となるモータの位置を調整する。光学系２１２では、このレーザースポット位置を変動させて、光ディスク１０１でトラック１０４を形成すべき記録層を適宜変え、また、形成するトラック１０４にウォブリングを発生させることが可能である。ただし、ウォブリングの方法は、回転駆動系２１３によりディスク１０１回転中心を動かしても構わない。すなわち、レーザー集光点がウォブル振り幅に応じてトラック１０４の中心からずれれば良い。
【００６８】
一般的に、光ディスクを形成する光ディスク形成装置の光スポットは、光ディスクに記録、再生を行う情報記録再生装置の光スポットより小さいため、情報記録再生装置より短波長のレーザー、高ＮＡのレンズを使用する。モータ制御回路２１５は、ディスク１０１の回転速度を制御したり、光学系を移動させたりする。そしてディスク１０１の回転速度を示す信号（回転情報）や、半径位置を表す信号（半径情報）も出力し、クロック発生回路２０２の基準信号とする。
【００６９】
上記説明では、モータの回転情報と半径情報に合わせてクロックを生成する様に説明したが、これはモータの回転が一定で半径位置に応じてクロック周波数を変更する方法と、クロック周波数が一定で半径位置に応じてモータ回転速度を変更する方法とがあり、どちらでも構わない。またこれら全てをアナログ回路構成にする必要はなく、ＳＩＮ波発生回路２０３、２０４や、反転回路２０５，２０６、選択回路２０７〜２０９などをデジタル処理し、レーザー変調器２１１への出力をＤ／Ａコンバータなどでアナログ変換することもできる。なお、光ディスク形成装置２０１のレーザー波長や光学系のパラメータに依存することは無い。
【００７０】
次に、このような構成の光ディスク形成装置２０１により実施される情報記録媒体形成方法について説明する。
【００７１】
すなわち、図１７に示すように、ｆ１信号ＳＩＮ波、ｆ２信号ＳＩＮ波、これらの反転波を前述のように発生し（ステップＳ１）、この信号を第１〜第３の情報信号により選択回路２０７〜２０９で切り替えて選択的に出力し（ステップＳ２）、この出力する信号に基づいて光スポットの回転するディスク１０１上での照射位置を変えてトラック１０４のウォブリングを形成する（ステップＳ３）。
【００７２】
よって、周波数差が倍以上に設定されている変調方式などに対しても、ウォブル信号を変調する際の周波数移行がスムースに行われ、第１〜第３の情報信号に基づいてＦＳＫ変調、ＰＳＫ変調、あるいは、これらを組み合わせたＦＳＫ＋ＰＳＫ変調がされたウォブルを情報記録媒体に正確に形成することができる。
【００７３】
具体的には、周波数の異なる（この例では２：１）、ｆ１信号ＳＩＮ波、ｆ２信号ＳＩＮ波の２つの信号を発生し、第３の情報信号として、多層情報記録媒体であるディスク１０１の記録層の別（１層目か２層目かなど）を示す層情報を用いれば、層情報部をＦＳＫ変調ウォブルで表すディスク１０１を正確に作成できる。
【００７４】
また、ｆ２信号ＳＩＮ波、その反転信号、ｆ１信号ＳＩＮ波を生成し、前２者を第２の情報信号として層情報を用いて選択出力し、その出力した信号とｆ１信号ＳＩＮ波とを第３の情報信号として層情報を格納するウォブル番号を示す位置情報を用いれば、層情報をＦＳＫ＋ＰＳＫ変調ウォブルで表し、それ以外の搬送波部分は一定周波数ウォブルであるディスク１０１が正確に作成できる。
【００７５】
さらに、ｆ１信号ＳＩＮ波、その反転信号、ｆ２信号ＳＩＮ波を生成し、前２者を第１の情報信号として層情報を用いて選択出力し、その出力した信号とｆ２信号ＳＩＮ波とを第３の情報信号としてアドレス情報を用いれば、層情報を変調ウォブルで表し、アドレス情報をＰＳＫ変調ウォブルで表し、それ以外の搬送波部分は一定周波数ウォブルであるディスク１０１が正確に作成できる。
【００７６】
そのうえ、ｆ１信号ＳＩＮ波、その反転信号、ｆ２信号ＳＩＮ波、その反転信号を生成し、前２者を第１の情報信号として層情報を用いて選択出力し、後２者を第２の情報信号としてアドレス情報を用いて選択出力し、これらの選択された信号をアドレス情報を格納するウォブル番号を示す位置情報とすれば、層情報を変調ウォブルで表し、アドレス情報をＦＳＫ＋ＰＳＫ変調ウォブルで表し、それ以外の搬送波部分は一定周波数ウォブルであるディスク１０１が正確に作成できる。
【００７７】
このようにして作成される、記録層が多層構造で各記録層について光の照射によりデータの記録が可能な多層記録媒体であるディスク１０１は、トラック１０４に情報が変調されたウォブルが形成される。そして、このウォブルには記録層の別を示す層情報がＦＳＫ変調情報、ＰＳＫ変調情報、又は、ＦＳＫ＋ＰＳＫ変調情報として記録される。
【００７８】
さらに、層情報がＦＳＫ＋ＰＳＫ変調情報である場合に、ウォブルにはアドレス情報もＰＳＫ変調情報としてさらに記録されるようにすることができる。また、層情報がＰＳＫ変調情報である場合に、ウォブルにはアドレス情報もＦＳＫ＋ＰＳＫ変調情報としてさらに記録されるようにすることができる。
【００７９】
次に、このようなディスク１０１に対して情報の記録、再生を行う情報記録媒体装置となる光ディスク装置３０１について、図１６を参照して説明する。
【００８０】
この光ディスク装置３０１は、所定の光学系（後述）を搭載したピックアップ３０２と、ピックアップ３０２を移動するシークモータやディスク１０１を回転させるスピンドルモータなどの複数のモータ（図示せず）と、ディスク１０１をセッティングするローディング（図示せず）などからなる機構系と、各種電気系と、などから構成されている。
【００８１】
ピックアップ３０２には、レーザー発生器３１１と、レーザー発生器３１１の出力するレーザーを各素子に導く周知構成の各種光学部品３１２と、ディスク１０１上にレーザーの光スポットを集光させる対物レンズ３１３と、光スポットを所望の位置に追従させるべく対物レンズ３１３の位置を制御するアクチュエータ３１４と、レーザーがディスク１０１で反射した反射光を受光する分割受光素子（ＰＤ）１１１（前述）と、ＰＤ１１１の出力信号をＩ／Ｖ変換するＩ／Ｖ変換回路３１６とを備えている。
【００８２】
前述の電気系統は以下のような構成である。すなわち、ディスク１０１への記録時には、システムコントローラ３２１が装置外部から記録情報を受け取り、エンコーダ３２２でディスク１０１に記録する情報列に符号化、変調などの変換を行なう。レーザー駆動手段３２３では前記情報列からディスク１０１に記録するために適切なレーザー発光タイミングや強度を決定し、レーザー発生器３１１でレーザーを発光させる。
【００８３】
ディスク１０１への再生時には、レーザー駆動手段３２３は再生用の強度で安定した発光をさせる。ディスク１０１からの反射信号は、ＰＤ１１１で光電変換され、その出力がＩ／Ｖ変換回路３１６で演算が容易な電圧信号に変換される。このＰＤ１１１とＩ／Ｖ変換回路３１６は一体化していても良い。その後、周知構成のウォブル信号検出手段３２４、ＲＦ信号３２５、サーボ信号検出手段３２６で、それぞれウォブル信号、ＲＦ信号、サーボ信号などの信号演算を行なう（ウォブル信号、ＲＦ信号などの検出については前述）。なお、ＰＤ１１１の出力（電流）の状態で各種信号演算がなされた後、電圧信号に変換するようにしてもよい。ウォブル信号の検出は独立して記載してあるが、サーボ信号検出手段３２６の内部信号から生成してもよい。検出されたウォブル信号は復調信号処理手段３２７に入力される。復調信号処理手段３２７には、図８、図９を参照して前述した情報検出装置１６１を備えていて、同期信号やアドレス情報やクロック信号、層情報などが検出される。これらアドレス情報や層情報はシステムコントローラ３２１やエンコーダ３２２にてディスク１０１上の現在位置の取得処理に使用される。また、クロック信号はエンコーダ３２２やＤＳＰ３２８でも使用され基準信号となる。サーボ信号はサーボ信号検出手段３２６にて各種演算を行ない、ＤＳＰ３２８でレーザーの光スポットの位置と目標位置との誤差からピックアップ３０２やアクチュエータ３１４の移動量を演算し、所望の位置に光スポットを追従させるべくシークモータやアクチュエータを動作させる。これにより、ディスク１０１が、記録層が多層構造である多層記録媒体である場合も、各記録層に光スポットを追従させることができる。また、ウォブル信号から検出されたクロック信号をもとにディスク１０１の回転速度を検出し、目標速度と比較してモータ駆動手段３２９によりスピンドルモータ（図示せず）の回転速度を制御する。
【００８４】
ディスク１０１の再生時には、ＲＦ検出手段３２５によりフィルタを用いて高域信号成分であるＲＦ信号を抽出して２値化する。このＲＦ信号をもとにデコーダにて各種復調、復号化を行ない、再生情報に変換する。ＲＦ検出手段３２５もしくはデコーダ３３０では、ＲＦ信号からクロック成分を抽出して、このクロックを再生系の基準信号とするＰＬＬ回路を備えていても良い。再生情報はシステムコントローラ３２１を通じて外部に転送される。なお、光ディスク装置３０１のレーザー波長や光学系のパラメータに依存することは無い。
【００８５】
このような光ディスク装置３０１によれば、記録層が多層構造で各記録層についてデータの記録が可能である多層情報記録媒体であるディスク１０１に対してもレーザー光を照射して記録層に対する情報の記録、再生を行うことができる。そして、ピックアップ３０２に用意された前述の光学系によりディスク１０１に対してもレーザー光を照射して、その反射光からディスク１０１のトラック１０４に形成されているウォブルからウォブル信号検出手段３２４によりウォブル信号を検出することができる。そして、復調信号処理手段３２７には情報検出装置１６１を備えているので、前述のように、同期信号、アドレス情報信号、層情報信号を検出することができる。これらの各信号は、システムコントローラ３２１、エンコーダ３２２、ＤＳＰ３２８に出力されるので、この各信号に基づいて、ディスク１０１への記録、再生を行なう際の制御が行われる。
【００８６】
光ディスク装置３０１の情報検出装置１６１で実行する情報検出方法について整理して説明すると次のようになる。
【００８７】
すなわち、情報検出装置１６１は、トラック１０４に情報が変調されたウォブルが形成されているディスク１０１から、ウォブルに記録されている情報を読み取る。これは、図１８に示すように、クロック生成手段１２１は、ウォブル信号から基準クロック信号を生成し（ステップＳ１１）、第一、第２の復調手段１２２，１２３により、この基準クロック信号をもとにウォブル信号からＦＳＫ変調情報、ＰＳＫ変調情報、又は、ＦＳＫ＋ＰＳＫ変調情報を検出し（ステップＳ１２）、層情報検出手段１２６は、ディスク１０１が、記録層が多層構造で各記録層についてデータの記録が可能であるときの記録層の別を示す層情報の位置を示す同期検出手段１２４のタイミング信号により、ウォブル信号からの検出情報を層情報検出手段１２６で保持して層情報を検出する（ステップＳ１３）。
【００８８】
この層情報の検出として、ＦＳＫ＋ＰＳＫ変調情報を検出する場合に、基準クロック信号をもとにウォブル信号からＰＳＫ変調情報も検出し、同期検出手段１２４が出力するアドレス情報位置を示すタイミング信号に応じて、アドレス情報検出手段１２５でＰＳＫ変調情報の出力をアドレス情報検出手段１２５で保持してアドレス情報を検出することもできる（ステップＳ１３）。
【００８９】
また、層情報の検出として、ＰＳＫ変調情報を検出する場合に、基準クロック信号をもとにウォブル信号からＦＳＫ＋ＰＳＫ変調情報も検出し、同期検出手段１２４が出力するアドレス情報位置を示すタイミング信号に応じて、アドレス情報検出手段１２５でＦＳＫ＋ＰＳＫ変調情報の出力を保持してアドレス情報を検出することもできる（ステップＳ１３）。
【００９０】
したがって、クロストークに強いＦＳＫ変調、ＰＳＫ変調、又は、ＦＳＫ＋ＰＳＫ変調でディスク１０１に層情報を格納し、これを光ディスク装置３０１の情報検出装置１６１で検出して、光ディスク装置３０１でアクセス中の記録層の判断がすばやく正確にできるので、適切に情報の記録、再生を行うことができる。
【００９１】
また、層情報をＦＳＫ＋ＰＳＫ変調、アドレス情報をＰＳＫ変調し、又は、層情報をＰＳＫ変調、アドレス情報をＦＳＫ＋ＰＳＫ変調してディスク１０１を形成し、これらの情報を光ディスク装置３０１の情報検出装置３０１で検出するようにすれば、層情報、アドレス情報の特性に合った変調方式をディスク１０１に採用し、これを効率よく正確に検出することができる。
【図面の簡単な説明】
【００９２】
【図１】記録可能は光ディスクの構成の説明図である。
【図２】記録可能は光ディスクの構成の説明図である。
【図３】光ディスクの記録情報から各種信号を検出する受光素子及び信号処理回路の説明図である。
【図４】各種ウォブル信号の波形の例を示す説明図である。
【図５】ウォブルの変調により位置情報を記録する場合のフォーマット全体像の例を示す説明図である。
【図６】ウォブル波形にＰＳＫ、ＦＳＫ、ＦＳＫ+ＰＳＫの各変調を用いた場合の具体的なウォブル波形の説明図である。
【図７】図６のウォブル波形をフォーマットの全体像に当てはめて図示した説明図である。
【図８】信号検出装置の一構成例の説明図である。
【図９】信号検出装置の別の構成例の説明図である。
【図１０】クロック生成手段の具体的な回路構成例のブロック図である。
【図１１】ウォブル信号のフィルタ出力が変調部で信号が乱れる場合の説明図である。
【図１２】第１、第２の変調手段の具体的な回路構成例のブロック図である。
【図１３】本実施例のディスクのＦＳＫ変調によるウォブル信号を復調した場合の各信号のタイミングチャートである。
【図１４】本実施の形態のディスクのＦＳＫ＋ＰＳＫ変調によるウォブル信号を復調した場合の各信号のタイミングチャートである。
【図１５】本実施の形態の光ディスク形成装置の電気的な接続のブロック図である。
【図１６】本実施の形態の光ディスク装置の電気的な接続のブロック図である。
【図１７】光ディスク形成装置が実行する情報記録媒体形成方法を説明するフローチャートである。
【図１８】光ディスク装置が実行する情報検出方法を説明するフローチャートである。
【符号の説明】
【００９３】
１０１  情報記録媒体
１０４  トラック
１２１  クロック生成手段
１２２，１２３  復調手段
１２４  同期検出手段
１２５  アドレス情報検出手段
１２６  層情報検出手段
１６１  情報検出装置
３０１  情報記録媒体装置
３０２  光学系
【図１】
2005085326.tif 000003
【図２】
2005085326.tif 000004
【図３】
2005085326.tif 000005
【図４】
2005085326.tif 000006
【図５】
2005085326.tif 000007
【図６】
2005085326.tif 000008
【図７】
2005085326.tif 000009
【図８】
2005085326.tif 000010
【図９】
2005085326.tif 000011
【図１０】
2005085326.tif 000012
【図１１】
2005085326.tif 000013
【図１２】
2005085326.tif 000014
【図１３】
2005085326.tif 000015
【図１４】
2005085326.tif 000016
【図１５】
2005085326.tif 000017
【図１６】
2005085326.tif 000018
【図１７】
2005085326.tif 000019
【図１８】
2005085326.tif 000020